【手続補正書】
【提出日】平成28年6月10日(2016.6.10)
【手続補正１】
【補正対象書類名】明細書
【補正対象項目名】０１０４
【補正方法】変更
【補正の内容】
【０１０４】
種々の例示的な実施形態の説明が、例示及び説明の目的で提示されてきており、かつそれは開示された形の中の実施形態に対して包括的又は限定的であることを意図していない。当業者にとって、多くの修正及び変形が自明のものであろう。さらに、異なる例示的な実施形態は、他の例示的な実施形態とは異なる特徴を提供することができる。実施形態又は選択された複数の実施形態は、実施形態の原理、実際の用途を最もよく説明するため、及び他の当業者に対し、様々な実施形態の開示内容と、考慮される特定の用途に適した様々な修正との理解を促すために選ばれ、かつ記述されている。
また、本発明は以下に記載する態様を含む。
（態様１）
タッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）の使い勝手（２１８）を低減させる場合、動作（２２４）を開始するように構成される入力マネージャー（２２２）を備える、装置。
（態様２）
前記加速度検出器（２１９）は、前記タッチスクリーンシステム（２１４）の前記加速度（２１７）についてのデータ（２２０）を発生させるように構成され、かつ前記入力マネージャー（２２２）は、前記加速度検出器（２１９）からデータ（２２０）を受信して、かつ前記データ（２２０）を使用して、何時、前記タッチスクリーンシステム（２１４）の前記加速度（２１７）が前記タッチスクリーンシステム（２１４）の前記使い勝手（２１８）を低減させるかを判定するように構成される、態様１に記載の装置。
（態様３）
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、態様１に記載の装置。
（態様４）
前記選択された閾値（２３０）は、前記タッチスクリーンシステム（２１４）上に表示される、グラフィカルユーザインターフェース（３１６）に基づく、態様３に記載の装置。
（態様５）
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、態様１に記載の装置。
（態様６）
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、態様１に記載の装置。
（態様７）
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の任意の数の制御装置（３１８）のサイズを元々のサイズまで戻すことのうちの少なくとも１つから選択される、態様６に記載の装置。
（態様８）
前記入力マネージャー（２２２）は、前記タッチスクリーンシステム（２１４）の低減された使い勝手のレベルを判定し、かつ前記タッチスクリーンシステム（２１４）の低減された使い勝手の前記レベルに基づいて、前記動作（２２４）を開始するように構成される、態様１に記載の装置。
（態様９）
前記加速度（２１７）は、振動、乱流、波、風、及びプラットフォームの作動のうちの少なくとも１つによってもたらされる、態様１に記載の装置。
（態様１０）
前記タッチスクリーンシステム（２１４）は、タブレットコンピュータ、飛行管理システム、ナビゲーションコンピュータ、オートパイロット、携帯電話、ラップトップコンピュータ、及び持ち運び可能な表示装置のうちの１つから選択される、態様１に記載の装置。
（態様１１）
タッチスクリーンシステム（２１４）を管理するための方法であって、前記方法は：
前記タッチスクリーンシステム（２１４）の加速度（２１７）について加速度検出器（２１９）によって発生されたデータ（２２０）を受信させることであって、前記加速度検出器（２１９）は前記タッチスクリーンシステム（２１４）の範囲内に配置される、受信させること；及び
前記タッチスクリーンシステム（２１４）の前記加速度（２１７）が前記タッチスクリーンシステム（２１４）の使い勝手（２１８）を低減させる場合、入力マネージャー（２２２）によって、動作（２２４）を開始させることを含む、方法。
（態様１２）
何時、前記タッチスクリーンシステム（２１４）の前記加速度（２１７）が、前記タッチスクリーンシステム（２１４）の前記使い勝手（２１８）を低減させるかを、前記データ（２２０）を使用して、前記入力マネージャー（２２２）によって、判定させることをさらに含む、態様１１に記載の方法。
（態様１３）
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、態様１１に記載の方法。
（態様１４）
前記選択された閾値（２３０）は、前記タッチスクリーンシステム（２１４）上に表示される、グラフィカルユーザインターフェース（３１６）に基づく、態様１３に記載の方法。
（態様１５）
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、態様１１に記載の方法。
（態様１６）
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、態様１１に記載の方法。
（態様１７）
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の制御装置のサイズを元々のサイズまで戻すことのうちの少なくとも１つから選択される、態様１６に記載の方法。
（態様１８）
前記加速度検出器（２１９）は、加速度計システムである、態様１１に記載の方法。
（態様１９）
前記加速度（２１７）は、ビークル、波を伴う水の中で移動する船舶、風を伴う水の中で移動する船舶、乱流の中の航空機（１００）、粗い表面上で移動する地上のビークルの作動、宇宙船上のスラスターの作動、航空機の着陸（１００）、航空機（１００）の離陸によってもたらされる振動である、態様１１に記載の方法。
（態様２０）
航空機（１００）内のネットワーク（２０８）；
前記航空機（１００）内のデータ処理システム（２０６）であって、前記データ処理システム（２０６）は前記ネットワーク（２０８）に接続され、かつ前記航空機（１００）の作動を制御するように構成される、データ処理システム（２０６）；
前記航空機（１００）の前記作動を制御するために、前記データ処理システム（２０６）に対するユーザ入力（３１０）を受信するように構成される、任意の数の制御装置（３１８）を有するグラフィカルユーザインターフェース（３１６）を表示するように構成されるタッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）上の前記グラフィカルユーザインターフェース（３１６）の中で表示される前記任意の数の制御装置（３１８）の使い勝手（２１８）を低減させる場合、動作（２２４）を開始するように構成される入力マネージャー（２２２）を備える、航空機制御システム。
【手続補正２】
【補正対象書類名】特許請求の範囲
【補正対象項目名】全文
【補正方法】変更
【補正の内容】
【特許請求の範囲】
【請求項１】
タッチスクリーンシステム（２１４）；
前記タッチスクリーンシステム（２１４）内に配置される加速度検出器（２１９）であって、前記加速度検出器（２１９）は、前記タッチスクリーンシステム（２１４）の加速度（２１７）を検出するように構成される、加速度検出器（２１９）；及び
前記加速度検出器（２１９）と通信し、かつ前記タッチスクリーンシステム（２１４）の前記加速度（２１７）が前記タッチスクリーンシステム（２１４）の使い勝手（２１８）を低減させる場合、動作（２２４）を開始するように構成される入力マネージャー（２２２）を備える、装置。
【請求項２】
前記加速度検出器（２１９）は、前記タッチスクリーンシステム（２１４）の前記加速度（２１７）についてのデータ（２２０）を発生させるように構成され、かつ前記入力マネージャー（２２２）は、前記加速度検出器（２１９）からデータ（２２０）を受信して、かつ前記データ（２２０）を使用して、何時、前記タッチスクリーンシステム（２１４）の前記加速度（２１７）が前記タッチスクリーンシステム（２１４）の前記使い勝手（２１８）を低減させるかを判定するように構成される、請求項１に記載の装置。
【請求項３】
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、請求項１に記載の装置。
【請求項４】
前記選択された閾値（２３０）は、前記タッチスクリーンシステム（２１４）上に表示される、グラフィカルユーザインターフェース（３１６）に基づく、請求項３に記載の装置。
【請求項５】
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、請求項１に記載の装置。
【請求項６】
前記動作（２２４）は第１の動作（２３４）であり、かつ前記入力マネージャー（２２２）は、前記タッチスクリーンシステム（２１４）の前記加速度（２１７）が、前記タッチスクリーンシステム（２１４）の前記使い勝手（２１８）をもはや低減させない場合に、第２の動作（２３６）を開始するように構成される、請求項１に記載の装置。
【請求項７】
前記第２の動作（２３６）は、前記タッチスクリーンシステム（２１４）を有効にすること、グラフィカルユーザインターフェース（３１６）の機能性を元々のレベルまで増加させること、及び前記グラフィカルユーザインターフェース（３１６）内の任意の数の制御装置（３１８）のサイズを元々のサイズまで戻すことのうちの少なくとも１つから選択される、請求項６に記載の装置。
【請求項８】
前記入力マネージャー（２２２）は、前記タッチスクリーンシステム（２１４）の低減された使い勝手のレベルを判定し、かつ前記タッチスクリーンシステム（２１４）の低減された使い勝手の前記レベルに基づいて、前記動作（２２４）を開始するように構成される、請求項１に記載の装置。
【請求項９】
前記加速度（２１７）は、振動、乱流、波、風、及びプラットフォームの作動のうちの少なくとも１つによってもたらされる、請求項１に記載の装置。
【請求項１０】
前記タッチスクリーンシステム（２１４）は、タブレットコンピュータ、飛行管理システム、ナビゲーションコンピュータ、オートパイロット、携帯電話、ラップトップコンピュータ、及び持ち運び可能な表示装置のうちの１つから選択される、請求項１に記載の装置。
【請求項１１】
タッチスクリーンシステム（２１４）を管理するための方法であって、前記方法は：
前記タッチスクリーンシステム（２１４）の加速度（２１７）について加速度検出器（２１９）によって発生されたデータ（２２０）を受信させることであって、前記加速度検出器（２１９）は前記タッチスクリーンシステム（２１４）の範囲内に配置される、受信させること；及び
前記タッチスクリーンシステム（２１４）の前記加速度（２１７）が前記タッチスクリーンシステム（２１４）の使い勝手（２１８）を低減させる場合、入力マネージャー（２２２）によって、動作（２２４）を開始させることを含む、方法。
【請求項１２】
何時、前記タッチスクリーンシステム（２１４）の前記加速度（２１７）が、前記タッチスクリーンシステム（２１４）の前記使い勝手（２１８）を低減させるかを、前記データ（２２０）を使用して、前記入力マネージャー（２２２）によって、判定させることをさらに含む、請求項１１に記載の方法。
【請求項１３】
前記加速度（２１７）は、前記タッチスクリーンシステム（２１４）の前記加速度（２１７）が、選択された閾値（２３０）よりも大きい大きさを有する場合に、前記タッチスクリーンシステム（２１４）の前記使い勝手（２１８）を低減させる、請求項１１に記載の方法。
【請求項１４】
前記選択された閾値（２３０）は、前記タッチスクリーンシステム（２１４）上に表示される、グラフィカルユーザインターフェース（３１６）に基づく、請求項１３に記載の方法。
【請求項１５】
前記動作（２２４）は、前記タッチスクリーンシステム（２１４）を無効にすること、前記タッチスクリーンシステム（２１４）上に表示されるグラフィカルユーザインターフェース（３１６）の機能性を低減させること、前記グラフィカルユーザインターフェース（３１６）内の任意の数の制御装置（３１８）のうちの一部分を無効にすること、前記タッチスクリーンシステム（２１４）上に表示される前記グラフィカルユーザインターフェース（３１６）内の前記任意の数の制御装置（３１８）のうちの少なくとも前記一部分のサイズを増加させること、前記任意の数の制御装置（３１８）のうちの前記一部分の機能性を変化させること、警告を発生させること、音声入力を有効にすること、及び前記タッチスクリーンシステム（２１４）に対して行われた入力の確認をリクエストすることのうちの少なくとも１つから選択される、請求項１１に記載の方法。